(57)【特許請求の範囲】
【請求項１】
内周面に外輪軌道を有する外輪相当部材と、外周面に内輪軌道を有する内輪相当部材と、これら外輪軌道と内輪軌道との間に転動自在に設けられた複数個の転動体と、弾性材製のシール材とこのシール材を支持する芯金とを備え、前記外輪相当部材と前記内輪相当部材とのうちで使用時に回転しない静止部材の周面に支持固定されると共に、前記シール材を構成するシールリップの先端縁を前記外輪相当部材と前記内輪相当部材とのうちで使用時に回転する回転部材又はこの回転部材に固定した部材の表面に摺接させる事により、前記各転動体を設置した空間の端部開口を塞ぐシールリングと、この空間内に封入されたグリースとを備えた、シールリング付転がり軸受装置に於いて、
前記回転部材の周面のうちで前記静止部材の周面に対向する周面に、この周面に形成された前記外輪軌道と前記内輪軌道とのうちの一方の軌道と軸方向に隣接する状態で、肩部が設けられており、この肩部の軸方向側面に円輪状の段差面が形成されており、
前記シール材に、前記空間側に向けて軸方向に突出した略円筒状の油溜用シールリップが形成されており、この油溜用シールリップの先端縁は、径方向に関して前記肩部の周面よりも前記静止部材から遠い側に位置すると共に、前記回転部材に形成された前記段差面に全周に亙り近接対向して、ラビリンスシールを形成しており、
前記油溜用シールリップの周面のうちで前記静止部材の周面に対向する周面と、この静止部材の周面と、前記シールリングのうちでこれら両周面同士の間部分に存在する部分の前記空間側の側面とにより、略円環状の貯溜空間を画成しており、
前記油溜用シールリップの軸方向への突出量が、前記シールリング付転がり軸受装置の中心軸を上下方向に向けて配置する事で、前記グリース中の基油のうちで増ちょう剤から分離した基油を前記貯溜空間内に移動させた場合にも、この基油がこの貯溜空間から溢れ出る事を防止できる大きさに規制されている事を特徴とするシールリング付転がり軸受装置。
【請求項２】
前記段差面のうちで、径方向に関して前記静止部材寄り部分に、軸方向に関して前記シールリング側に向けて突出した環状突部が設けられており、この環状突部と前記油溜用シールリップとが径方向に関して重畳している、請求項１に記載したシールリング付転がり軸受装置。
【請求項３】
前記段差面に、軸方向に凹入した環状凹部が設けられており、この環状凹部内に、前記油溜用シールリップの少なくとも先端縁部が挿入されている、請求項１に記載したシールリング付転がり軸受装置。
【請求項４】
前記静止部材の周面であって前記回転部材の周面に対向する周面のうち、この周面に形成された前記外輪軌道と前記内輪軌道とのうちの他方の軌道と、前記シールリングが支持固定された部分との間部分に、軸方向に関してこの他方の軌道に近づくに従って径方向に関して前記回転部材から離れる方向に傾斜した傾斜面部、又は、軸方向に亙り径方向寸法が変化せず、径方向に関して前記シールリングが支持固定された部分よりも前記回転部材から遠い側に位置に存在する、円筒面部が形成されている、請求項１〜３のうちの何れか１項に記載したシールリング付転がり軸受装置。
【請求項５】
前記芯金が、前記静止部材に嵌合固定される固定円筒部と、この固定円筒部の軸方向端縁から、径方向に関して前記回転部材の周面に向け折れ曲がった固定円輪部とを備えており、この固定円輪部が断面クランク形に構成されている、請求項１〜４のうちの何れか１項に記載したシールリング付転がり軸受装置。
【発明の詳細な説明】
【技術分野】
【０００１】
本発明は、自動車の車輪や工作機械の主軸等、各種機械装置の回転部材を回転自在に支持する、シールリング付転がり軸受装置の改良に関する。特に、本発明は、転動体を設置した内部空間内に封入したグリースのうち、増ちょう剤から分離した基油が、シールリングを通じて外部に漏洩する事を防止するものである。
【０００２】
各種機械装置の回転支持部には、玉軸受、ころ軸受、円すいころ軸受等の転がり軸受により構成する転がり軸受装置が組み込まれている。そして、この様な転がり軸受装置は、その開口端部にシールリングを設けて、内部に封入したグリースが外部に漏洩する事を防止すると共に、外部に存在する水、粉塵等の各種異物が内部に入り込む事を防止する。図１１は、この様なシールリングを組み付けたシールリング付転がり軸受装置の１例として、自動車の車輪を懸架装置に対し回転自在に支持する為の自動車用の転がり軸受ユニットのうち、所謂第１世代と呼ばれる転がり軸受ユニット（複列転がり軸受ユニット）１を示している。
【０００３】
前記転がり軸受ユニット１は、特許請求の範囲に記載した外輪相当部材に相当する１個の外輪２と、同じく内輪相当部材に相当する１対の内輪３ａ、３ｂと、それぞれが同じく転動体に相当する複数個の玉４、４とを備える。前記外輪２の内周面には、アンギュラ型で複列の外輪軌道５、５を、前記各内輪３ａ、３ｂの外周面には、それぞれがアンギュラ型の内輪軌道６、６を、それぞれ形成している。前記各玉４、４は、それぞれ保持器７、７により転動自在に保持された状態で、前記各外輪軌道５、５と前記各内輪軌道６、６との間に組み込まれている。車両への組み付け状態で、前記外輪２は、図示しない懸架装置を構成するナックルに、円周方向並びに軸方向変位を阻止した状態で内嵌固定する。一方、前記１対の内輪３ａ、３ｂは、車輪を支持する為の取付フランジを有する図示しないハブに外嵌固定する。
【０００４】
又、前記各玉４、４を設置した内部空間８の両端開口部は、それぞれ組み合わせシールリング９、９により塞いでいる。これら各組み合わせシールリング９、９は、シールリング１０とスリンガ１１とから成る。このうちのシールリング１０は、鋼板等の金属板にプレス加工を施す事により、断面略Ｌ字形で全体を円環状に形成した芯金１２に、ゴムの如きエラストマー等のシール材１３を添着して成る。このうちの芯金１２は、前記外輪２の軸方向端部内周面に締り嵌めにより内嵌固定される固定円筒部１４と、この固定円筒部１４の軸方向端縁から、前記内輪３ａ、３ｂの外周面に向け、直径方向内方に折れ曲がった固定円輪部１５とを有する。又、前記シール材１３は、それぞれの基端部を前記芯金１２に全周に亙って添着支持された３本のシールリップ１６〜１８を有する。
【０００５】
又、前記スリンガ１１は、鋼板、ステンレス鋼板等の金属板にプレス加工を施す事により、断面略Ｌ字形で全体を円環状に形成して成り、前記内輪３ａ、３ｂの軸方向端部外周面に締り嵌めにより外嵌固定される回転円筒部１９と、この回転円筒部１９の軸方向端縁から、前記外輪２の内周面に向け、直径方向に折れ曲がった回転円輪部２０とを備える。そして、前記各シールリップ１６〜１８のうちで、サイドリップと呼ばれる、最も外径側に、軸方向に突出する状態で設けられた、外側シールリップ１６の先端縁を、前記回転円輪部２０の軸方向側面に全周に亙り摺接させている。これに対して、ラジアルリップと呼ばれる、残り２本の、中間、内側シールリップ１７、１８の先端縁を、前記回転円筒部１９の外周面に全周に亙り摺接させている。
【０００６】
又、前記各玉４、４を設置した前記内部空間８内にグリース２１を封入（充填）して、これら各玉４、４の転動面と前記各外輪軌道５、５及び前記各内輪軌道６、６との転がり接触部の潤滑を図っている。前述した様な組み合わせシールリング９、９は、この様に前記内部空間８内に封入したグリース２１が外部に漏洩する事を防止すると共に、外部に存在する雨水、塵等の各種異物が前記内部空間８内に侵入する事を防止する。
【０００７】
ところで、上述した様な転がり軸受ユニット１の内部空間８内に封入されるグリース２１として、ちょう度番号が２号程度である、粘度の低いウレア系グリースを使用する場合が増えている。この理由は、前記転がり軸受ユニット１の単体（単品）での輸送時や、車体に組み付けた状態での輸送時等に、外輪２と内輪３ａ、３ｂとが相対回転せずに振動して各軌道面（外輪軌道５、内輪軌道６）が摩耗する事により、これら各軌道面にフォールスブリネリング（転動面と軌道面との接触部分に生じるブリネル圧痕に似た凹み）が生じる事を防止する為である。即ち、ちょう度番号が２号程度のウレア系グリースは、増ちょう剤（ウレア系化合物）から基油が分離（離油）し易い為、この分離した液状の基油が、軌道面及び転動面に油膜を形成して、フォールスブリネリングの発生を効果的に防止できる為である。
【０００８】
又、ちょう度番号が２号程度のウレア系グリースは、通常、全量の８０〜９０質量％の基油を含んでいる。この為、輸送時の振動や保管時の温度変化（温度上昇）等によって、上述した様なフォールスブリネリングの発生防止に必要となる量以上の基油が、増ちょう剤から分離する可能性がある。しかも、上述した様な転がり軸受ユニット１を、輸送したり、保管等する場合、多くの場合で、その中心軸Ｏが上下方向に向いた状態（図１１の左右側面が上下方向に向いた状態）となる。この為、増ちょう剤から分離した液状の基油は、下方に向けて流れ、１対の組み合わせシールリング９、９のうちで、下方に位置する組み合わせシールリング９の背面側（内部空間８側）に集まる。
【０００９】
但し、従来構造の組み合わせシールリング９の場合には、この様な液状の基油が外部に漏れ出す事を意図して設計されていない為、前記組み合わせシールリング９を通じて、基油が外部空間に漏れ出す可能性がある。即ち、この組み合わせシールリング９の場合には、前記各シールリップ１６〜１８の先端縁と相手面とが一定の締め代を持ってそれぞれ当接している為、基油が外部空間に漏れ出る事を防止する一定の効果を得られるが、振動等により接触状態が変化する為、重力の作用により下方へと流下しようとする基油を完全に堰き止める事は不可能である。従って、従来構造の組み合わせシールリング９の場合には、増ちょう剤から分離した基油が、少なからず外部空間に漏れ出る可能性がある。そして、この場合には、周辺環境を汚染するだけでなく、内部空間８に残存するグリース中の基油の含有量が不足し、転がり接触部に潤滑不良が生じる可能性がある。特に、前記図１１に示した様な第１世代の転がり軸受ユニット並びに第２世代の転がり軸受ユニットの場合には、１対の内輪同士が、ハブに外嵌固定する（サブアッセンブリする）以前の状態で僅かに相対変位する事が可能である。この為、この状態でのシールリップの締め代は不安定であり、基油の漏れが発生し易くなる。
【００１０】
尚、本発明に関連する先行技術文献として、例えば特許文献１に記載された発明がある。この特許文献１には、シールリングを構成するシール材の一部に、転動体を設置した内部空間側に向けて突出した円環状の突起を設けた構造が記載されている。但し、前記特許文献１に記載された発明の場合には、この様な突起を、エンコーダ付きの組み合わせシールリングを積層した場合にも、エンコーダの被検出面が金属製の芯金との接触により損傷する事を防止する為に設けたものであり、前記突起を、増ちょう剤から分離した基油の漏れ防止に利用する事に就いては全く意図していない。
【先行技術文献】
【特許文献】
【００１１】
【特許文献１】特開２００１−１４１０６９号公報
【発明の概要】
【発明が解決しようとする課題】
【００１２】
本発明は、上述の様な事情に鑑みて、シールリング付転がり軸受装置の中心軸を上下方向に向けて配置した場合にも、転動体を設置した空間内に封入したグリース中の基油のうちで増ちょう剤から分離した基油が、シールリングを通じて外部空間に漏洩する事を防止できる構造を実現すべく発明したものである。
【課題を解決するための手段】
【００１３】
本発明のシールリング付転がり軸受装置は、外輪相当部材と、内輪相当部材と、複数個の転動体と、シール材と芯金とから成るシールリングと、グリースとを備える。
このうちの外輪相当部材は、内周面に外輪軌道を有する。
前記内輪相当部材は、外周面に内輪軌道を有する。
前記各転動体は、前記外輪軌道とこの内輪軌道との間に転動自在に設けられている。
前記シールリングは、弾性材製の前記シール材とこのシール材を支持する前記芯金とを備え、前記外輪相当部材と前記内輪相当部材とのうちで使用時に回転しない静止部材の周面に支持固定されると共に、前記シール材を構成するシールリップの先端縁を前記外輪相当部材と前記内輪相当部材とのうちで使用時に回転する回転部材又はこの回転部材に固定した部材の表面に摺接させる事により、前記各転動体を設置した空間の端部開口を塞ぐ。
前記グリースは、この空間内に封入されている。
特に本発明のシールリング付転がり軸受装置の場合には、追加的に、前記回転部材の周面のうちで前記静止部材の周面に対向する周面に、この周面に形成された前記外輪軌道と前記内輪軌道とのうちの一方の軌道と軸方向に隣接する状態で、肩部を設けている。又、この肩部の軸方向側面に、円輪状の段差面を形成している。
又、前記シール材に、前記各転動体を設置した空間側（シールリング付転がり軸受装置の幅方向中央側）に向けて軸方向に突出した略円筒状の油溜用シールリップを設けている。
又、この油溜用シールリップの先端縁を、径方向に関して前記肩部の周面よりも前記静止部材から遠い側に位置させると共に、回転部材（外輪相当部材と内輪相当部材とのうちで使用時に回転する部材）の表面である前記段差面に、全周に亙り近接対向させて、当該部分にラビリンスシールを形成している。
そして、前記油溜用シールリップの周面のうちで静止部材（外輪相当部材と内輪相当部材とのうちで使用時に回転しない部材）の周面に対向する周面と、この静止部材の周面と、前記シールリングのうちでこれら両周面同士の間部分に存在する部分の前記空間側の側面とにより、略円環状の貯溜空間を画成している。
更に、前記油溜用シールリップの軸方向への突出量を、前記シールリング付転がり軸受装置の中心軸を上下方向に向けて配置する事で、前記グリース中の基油のうちで増ちょう剤から分離（離油）した基油を前記貯溜空間内に移動（流下）させた場合にも、この基油がこの貯溜空間から溢れ出る事を防止できる大きさに規制している。
【００１４】
又、本発明のシールリング付転がり軸受装置を実施する場合には、例えば請求項２に記載した発明の様に、追加的に、前記段差面のうちで、径方向に関して前記静止部材寄り部分に、軸方向に関して前記シールリング側に向けて突出した環状突部を設ける事ができる。そして、この環状突部と前記油溜用シールリップとを径方向に関して重畳させる事ができる。
又、本発明のシールリング付転がり軸受装置を実施する場合には、例えば請求項３に記載した発明の様に、追加的に、前記段差面に、軸方向に凹入した環状凹部を設ける事ができる。そして、この環状凹部内に、前記油溜用シールリップの少なくとも先端縁部を挿入する事ができる。
又、本発明のシールリング付転がり軸受装置を実施する場合には、例えば請求項４に記載した発明の様に、追加的に、前記静止部材の周面であって前記回転部材の周面に対向する周面のうち、この周面に形成された前記外輪軌道と前記内輪軌道とのうちの他方の軌道と、前記シールリングが支持固定された部分との間部分に、後述する様な構成を有する、傾斜面部又は円筒面部を形成する事ができる。このうちの傾斜面部は、軸方向に関して前記他方の軌道に近づくに従って径方向に関して前記回転部材から離れる方向に傾斜している。又、前記円筒面部は、軸方向に亙り径方向寸法が変化せず、径方向に関して前記シールリングが支持固定された部分よりも前記回転部材から遠い側に存在する。
又、本発明のシールリング付転がり軸受装置を実施する場合には、例えば請求項５に記載した発明の様に、追加的に、前記芯金を、前記静止部材に嵌合固定される固定円筒部と、この固定円筒部の軸方向端縁から、径方向に関して前記回転部材の周面に向け折れ曲がった固定円輪部とを備えたものとし、この固定円輪部を断面クランク形に構成したものとする事ができる。
【発明の効果】
【００１５】
上述の様に構成する本発明のシールリング付転がり軸受装置によれば、シールリング付転がり軸受装置の中心軸を上下方向に向けて配置した場合にも、転動体を設置した空間内に封入したグリース中の基油のうちで増ちょう剤から分離した基油が、シールリングを通じて外部空間に漏洩する事を防止できる。
即ち、本発明の場合には、各転動体を設置した空間側に向けて突出する状態で形成した油溜用シールリップの周面のうち、静止部材の周面に対向する周面と、この静止部材の周面と、シールリングのうちでこれら両周面同士の間部分に存在する部分の前記空間側の側面とにより、増ちょう剤から分離した液状の基油を貯溜する為の貯溜空間を画成している。この様にして形成される貯溜空間には、例えばシールリップの先端縁と相手面との当接部の様な、振動等により接触状態が変化する部分は存在しない為、前記貯溜空間から基油が漏れ出す事を有効に防止できる。
そして更に、本発明の場合には、前記シールリング付転がり軸受装置の中心軸を上下方向に向けて配置した場合に、前記貯溜空間の深さ寸法に相当する前記油溜用シールリップの軸方向への突出量を、この貯溜空間内に移動した液状の基油がこの貯溜空間から溢れ出る事を防止できる大きさに規制している。
この為、本発明によれば、シールリング付転がり軸受装置の中心軸を上下方向に向けて配置した場合にも、増ちょう剤から分離した基油が、前記貯溜空間から漏れ出たり、溢れ出る事を有効に防止できて、この基油をこの貯溜空間内に有効に留める事ができる。
しかも、本発明の場合には、前記油溜用シールリップの先端縁部を、前記回転部材の表面に全周に亙り近接対向させている。この為、輸送時の振動等によって、微量の基油が前記貯溜空間から溢れ出した場合にも、この基油が、前記油溜用シールリップと前記回転部材との間部分を通過しにくくできる。
この結果、本発明のシールリング付転がり軸受装置によれば、増ちょう剤から分離した基油が、シールリングを通じて外部空間に漏洩する事を有効に防止できる。これにより、周辺環境の汚染防止を図れると共に、グリース中の基油の含有量が不足する事で、転がり接触部の潤滑不良が生じる事も有効に防止できる。更に、長期間に亙り、フォールスブリネリングの発生を防止する事もできる。
【図面の簡単な説明】
【００１６】
【図１】本発明の実施の形態の第１例を示す、半部断面図。
【図２】同じく図１のＡ部拡大図。
【図３】本発明の実施の形態の第２例を示す図２と同様の図。
【図４】同じく第３例を示す図２と同様の図。
【図５】同じく第４例を示す図２と同様の図。
【図６】本発明に関する参考例の第１例を示す図２と同様の図。
【図７】同じく第２例を示す図２と同様の図。
【図８】同じく第３例を示す図２と同様の図。
【図９】本発明の実施の形態の第５例を示す図２と同様の図。
【図１０】同じく第６例を示す図２と同様の図。
【図１１】従来構造のシールリング付転がり軸受装置の半部断面図。
【発明を実施するための形態】
【００１７】
［実施の形態の第１例］
図１〜２は、本発明の実施の形態の第１例を示している。本例の転がり軸受ユニット１ａは、前述した従来構造の場合と同様、自動車の車輪を懸架装置に対して回転自在に支持する為の所謂第１世代の転がり軸受ユニットであり、特許請求の範囲に記載した外輪相当部材に相当する１個の外輪２ａと、同じく内輪相当部材に相当する１対の内輪３ｃ、３ｄと、それぞれが同じく転動体に相当する複数個の玉４、４とを備える。
【００１８】
前記外輪２ａの内周面には、アンギュラ型で複列の外輪軌道５、５が形成されている。一方、前記各内輪３ｃ、３ｄの外周面には、それぞれがアンギュラ型の内輪軌道６、６がそれぞれ形成されている。前記各玉４、４は、それぞれ保持器７、７により転動自在に保持された状態で、前記各外輪軌道５、５と前記各内輪軌道６、６との間に組み込まれている。車両への組み付け状態で、前記外輪２ａは、図示しない懸架装置を構成するナックルに、円周方向並びに軸方向変位を阻止した状態で内嵌固定する。一方、前記１対の内輪３ｃ、３ｄは、車輪を支持する為の取付フランジを有する図示しないハブの軸方向中間部に外嵌固定する。従って、本例の場合には、前記外輪２ａが使用時にも回転しない静止部材に、前記各内輪３ｃ、３ｄが使用時に回転する回転部材に、それぞれ相当する。尚、図示の例では、転動体として玉４、４を使用しているが、重量が嵩む自動車用の転がり軸受ユニットの場合には、転動体として、テーパころを使用する場合もある。
【００１９】
又、前記外輪２ａの内周面と前記１対の内輪３ｃ、３ｄの外周面との間部分で、前記各玉４、４を設置した内部空間８内には、グリース２１を封入（充填）している。これにより、これら各玉４、４の転動面と前記各外輪軌道５、５及び前記各内輪軌道６、６との転がり接触部の潤滑を図っている。本例の場合には、前記グリース２１として、ちょう度番号が２号程度（基油含有量が８０〜９０％）であるウレア系グリースを使用している。前記グリース２１は、従来から知られているグリースと同様に、基油、増ちょう剤及び添加剤から成る。この様なグリース２１中に含有する基油としては、例えば鉱油或いは合成油（エステル系合成油、エーテル系合成油、炭化水素系合成油等）を、同じく増ちょう剤としては、例えばジウレア化合物、ポリウレア化合物等のウレア化合物を、同じく添加剤としては、例えばカルボン酸系防錆剤や硫黄−燐化合物、有機モリブデン化合物等を、それぞれ使用できる。
【００２０】
又、前記内部空間８の両端開口部は、それぞれ組み合わせシールリング９ａ、９ｂにより塞いでいる。これら各組み合わせシールリング９ａ、９ｂは、前記内部空間８内に封入した前記グリース２１が外部に漏洩する事を防止すると共に、外部に存在する雨水、塵等の各種異物が前記内部空間８内に侵入する事を防止する。特に本例の場合には、前記グリース２１に含有される基油のうちで、輸送時の振動や周辺環境の温度上昇等の理由により、増ちょう剤から分離した基油が、外部空間に漏洩する事を有効に防止する。前記各組み合わせシールリング９ａ、９ｂのうち、前記内部空間８の軸方向一端側（図１の左側）の開口部を塞いだ組み合わせシールリング９ａと、同じく軸方向他端側（図１の右側）の開口部を塞いだ組み合わせシールリング９ｂとは、この軸方向他端側の組み合わせシールリング９ｂにのみ、エンコーダ２２が設けられている点を除き、基本的な構成は同じである。この為、以下の説明は、軸方向他端側の組み合わせシールリング９ｂに就いてのみ行う。但し、前記各組み合わせシールリング９ａ、９ｂの何れも、特許請求の範囲に記載したシールリングに相当する。
【００２１】
前記組み合わせシールリング９ｂは、シールリング１０ａと、スリンガ１１と、前記エンコーダ２２とから成る。このうちのシールリング１０ａは、鋼板等の金属板にプレス加工を施す事により、断面略Ｌ字形で全体を円環状に形成した芯金１２に、ゴムの如きエラストマー等のシール材１３ａを添着して成る。この芯金１２は、前記外輪２ａの軸方向端部内周面に締り嵌めにより内嵌固定された固定円筒部１４と、この固定円筒部１４の軸方向端縁から、前記内輪３ｄの外周面に向け、直径方向内方に折れ曲がった固定円輪部１５とを有する。本例の場合には、前記固定円筒部１４を、前記外輪２ａの軸方向端部内周面に形成した大径段部２３に内嵌固定している。
【００２２】
前記スリンガ１１は、鋼板、ステンレス鋼板等の金属板にプレス加工を施す事により、断面略Ｌ字形で全体を円環状に形成して成り、前記内輪３ｄの軸方向端部外周面に締り嵌めにより外嵌固定された回転円筒部１９と、この回転円筒部１９の軸方向端縁から、前記外輪２ａの内周面に向け、直径方向に折れ曲がった回転円輪部２０とを備える。本例の場合には、前記回転円筒部１９を、前記内輪３ｄの軸方向端部外周面に形成した小径段部２４に外嵌固定している。
【００２３】
前記エンコーダ２２は、円周方向に亙って、Ｓ極とＮ極とを交互に配置したゴム磁石製（永久磁石製）である。即ち、前記エンコーダ２２は、ゴム中にフェライト粉末を混入したゴム磁石を円輪状に形成したもので、軸方向に亙って着磁している。着磁方向は、円周方向に亙って交互に且つ等間隔で変化させている。従って、前記エンコーダ２２の軸方向側面には、Ｓ極とＮ極とが、円周方向に亙って交互に且つ等間隔で配置されている。この様なエンコーダ２２は、前記回転円輪部２０の軸方向側面（内部空間８とは反対側の側面）に支持されている。そして、懸架装置等、非回転部分に支持した、図示しない回転速度検出用センサの検出部を、前記エンコーダ２２の軸方向側面（被検出面）に対向させている。
【００２４】
特に本例の場合には、前記シール材１３ａに、外側、中間、内側シールリップ１６〜１８を設けるだけでなく、１本の油溜用シールリップ２５を別途設けている。この油溜用シールリップ２５は、前記芯金１２を構成する固定円輪部１５の内周寄り部分から、軸方向に関して前記内部空間８側（転がり軸受ユニット１ａの幅方向中央側）に向けて突出する状態で形成されており、その全体形状を略円筒状（円環状）としている。又、前記油溜用シールリップ２５の先端縁は、前記内輪３ｄのうちの小径段部２４と肩部２６との間に形成された円輪状の段差面２７に、全周に亙り近接対向している。これにより、前記油溜用シールリップ２５の先端縁と前記段差面２７との間にラビリンスシール２８を形成している。又、この油溜用シールリップ２５の先端縁の外径寸法は、前記肩部２６の外径寸法よりも小さくしている。尚、前記シール材１３ａに設けられた各シールリップ１６〜１８に関しては、前述した従来構造の場合と同様に、それぞれの先端縁を、前記回転円輪部２０の軸方向側面及び前記回転円筒部１９の外周面に全周に亙り摺接させている。
【００２５】
又、本例の場合には、上述の様な油溜用シールリップ２５を形成する事で、前記グリース２１中の基油のうちで増ちょう剤から分離した基油を貯溜する為の、貯溜空間２９を画成している。具体的には、前記油溜用シールリップ２５の外周面と、この油溜用シールリップ２５の外周面に対向する前記外輪２ａの軸方向端部内周面（大径段部２３のうちで固定円筒部１４が内嵌された部分よりも内部空間８寄りの部分）と、前記芯金１２を構成する固定円輪部１５のうちで前記両周面同士の間に存在する部分の前記内部空間８側の側面とにより、略円環状の前記貯溜空間２９を画成している。この様にして形成される貯溜空間２９には、例えばシールリップの先端縁と相手面との当接部の様な、輸送時に於ける振動等により接触状態が変化する部分は存在しない。
【００２６】
更に、本例の場合には、前記油溜用シールリップ２５の軸方向への突出量｛基端縁から軸方向に最も突出した部分（本例では先端縁）までの距離、図２中の寸法Ｌ｝を、次の様に規制している。即ち、前記転がり軸受ユニット１ａの中心軸Ｏ（図１参照）を上下方向に向けて配置し（組み合わせシールリング９ｂ或いは９ａを下側に向け）、前記グリース２１中の基油のうちで増ちょう剤から分離した基油を前記貯溜空間２９に移動（流下）させた場合にも、この基油がこの貯溜空間２９から溢れ出る事を防止できる大きさに規制している。増ちょう剤から分離する基油の量は、実験的に求める事もできるし、ＪＩＳ  Ｋ  ２２２０  １１に規定される離油度（１００℃、２４時間）に関する試験方法を利用して求める事もできる。又、前記グリース２１のちょう度（或いは基油の含有量）を考慮して決定する事もできる。
【００２７】
例えば、ちょう度が２号（混和ちょう度２６５〜２９５）程度のグリースは、全量の８０〜９０質量％の基油を含んでおり、離油を生じ易い（基油が増ちょう剤から分離し易い）のに対し、ちょう度が３号（混和ちょう度２２０〜２５０）のグリースは、２号程度のグリースと比べて、基油の含有量がおよそ５質量％少なく、離油を生じにくい（基油が増ちょう剤から分離しにくい）。更に、ちょう度が４号（混和ちょう度１７５〜２０５）のグリースは、２号程度のグリースと比べて、基油の含有量が１０質量％少なく、離油はほぼ生じない。そこで、２号程度のグリースが、３号乃至４号のグリース状態になるまで離油が進むと仮定すれば、前記貯溜空間２９により貯溜すべき基油の量を求められると同時に、最低限必要となる前記油溜用シールリップ２５の軸方向への突出量を求められる。例えば、基油の含有量が８５質量％である２号のグリースが、同じく含有量が８０質量％の３号のグリース状態まで離油が進むと仮定した場合、離油する基油の量（増ちょう剤に対する割合）は、８５／１５−８０／２０＝２５／１５となり、封入したグリースの全量のうちの２５質量％が離油すると計算できる。この為、この２５質量％の基油（例えばグリース封入量が１０ｇであれば２．５ｇ）を、前記貯溜空間２９に溜められる（溢れ出さない）様に、前記油溜用シールリップ２５の軸方向への突出量を設定する。
【００２８】
以上の様な構成を有する本例の場合には、前記転がり軸受ユニット１ａを、輸送したり、保管等する際に、その中心軸Ｏを上下方向に向けて配置した場合にも、前記グリース２１中の基油のうちで増ちょう剤から分離した基油が、前記組み合わせシールリング９ｂ（９ａ）を通じて外部空間に漏洩する事を防止できる。
【００２９】
即ち、本例の場合には、前記油溜用シールリップ２５の外周面と、前記外輪２ａの軸方向端部内周面（大径段部２３のうちで固定円筒部１４が内嵌された部分よりも内部空間８寄りの部分）と、前記芯金１２を構成する固定円輪部１５のうちでこれら両周面同士の間に存在する部分の前記内部空間８側の側面とにより、略円環状の前記貯溜空間２９を画成している。そして、この様にして形成されるこの貯溜空間２９は、例えばシールリップの先端縁と相手面との当接部の様な振動等により接触状態が変化する（隙間が形成されて基油が漏れ出し易い）部分が存在せず、前記貯溜空間２９から基油が漏れ出す事を有効に防止できる。
【００３０】
そして更に、本例の場合には、前記転がり軸受ユニット１ａの中心軸Ｏを上下方向に向けて配置した場合に、前記貯溜空間２９の深さ寸法に相当する前記油溜用シールリップ２５の軸方向への突出量（寸法Ｌ）を、この貯溜空間２９内に移動（流下）した液状の基油がこの貯溜空間２９から溢れ出る事を防止できる大きさに規制している。言い換えれば、前記突出量を、増ちょう剤から分離した基油が、前記油溜用シールリップ２５の先端縁から溢れ出す事を防止できる高さに規制している。この為、本例の場合には、前記貯溜空間２９から基油が溢れ出す事を有効に防止できる。尚、増ちょう剤から分離する基油の量は、前述した様に、実験的にも計算等によっても求められる。
【００３１】
従って、本例の場合には、前記転がり軸受ユニット１ａを、輸送したり、保管等する際に、その中心軸Ｏを上下方向に向けて配置した場合にも、増ちょう剤から分離した基油が、前記貯溜空間２９から漏れ出たり、溢れ出る事を有効に防止できて、この基油をこの貯溜空間２９内に留める（溜めておく）事ができる。
【００３２】
しかも、本例の場合には、前記油溜用シールリップ２５の先端縁の外径寸法を、前記肩部２６の外径寸法よりも小さくしている為、基油を、前記内部空間８側から前記内側シールリップ１８側へと移動しにくくできて、この基油を前記貯溜空間２９へと効率良く移動させる事ができる。更に、前記油溜用シールリップ２５の先端縁を、前記内輪３ｄ（３ｃ）の段差面２７に全周に亙り近接対向させている為、輸送時の振動等によって、仮に微量の基油が前記貯溜空間２９から漏れ出したり、前記内部空間８から前記内側シールリップ１８側へと移動しようとした場合にも、この基油が前記油溜用シールリップ２５の先端縁と前記段差面２７との間部分を通過しにくくできる。
【００３３】
この結果、本例の転がり軸受ユニット１ａによれば、増ちょう剤から分離した基油が、前記各組み合わせシールリング９ａ、９ｂを通じて外部空間に漏洩する事を有効に防止できる。これにより、周辺環境の汚染防止を図れると共に、前記グリース２１中に含有される基油が不足する事で、転がり接触部に潤滑不良が生じる事も有効に防止できる。更に、長期間に亙り、フォールスブリネリングの発生を防止する事もできる。
【００３４】
更に、本例の転がり軸受ユニット１ａは、所謂第１世代の転がり軸受ユニットである為、一般的には、その中心軸Ｏを上下方向に配置した状態で、ハブやナックルに組み付けられる（サブアッセンブリされる）。そして、この様な組み付け作業の後は、前記各シールリップ１６〜１８の締め代が安定すると共に、前記各内輪３ｃ、３ｄ同士の突き合せ面が密着する（尚、所謂第２世代の転がり軸受ユニットの場合にも同様の組立工程を行うが、所謂第３世代の転がり軸受ユニットの場合には、ハブに対する組み付け作業はなく、そのまま車体に組み付けられる）。この為、本例の場合には、増ちょう剤から分離した基油を、前記各組み合わせシールリング９ａ、９ｂを通じて内部空間８から漏洩させず、この内部空間８内に留めたまま、車体に対する組み付け作業を行える。そして、この様に車体に組み付けた後は、前記中心軸Ｏが水平方向に配置される為、分離した基油は、前記グリース２１側に戻り、回転による攪拌作用により、再び混和される（グリース２１内の増ちょう剤に取り込まれる）。従って、本例の転がり軸受ユニット１ａによれば、車体に組み付けた後の状態で、各転がり接触部に良好に潤滑できる。更に、前記油溜用シールリップ２５の先端縁を、前記段差面２７に全周に亙り近接対向させている（ラビリンスシール２８を形成している）為、車体に組み付けた使用状態で、外部に存在する水、粉塵等の各種異物が、前記内部空間８に入り込む事を防止する面からも有利になる。
その他の構成及び作用・効果に就いては、前述した従来構造の場合と同様である。
【００３５】
［実施の形態の第２例］
図３は、本発明の実施の形態の第２例を示している。本例の場合には、外輪２ｂの軸方向端部内周面の形状を、前述した実施の形態の第１例の場合とは異ならせている。即ち、本例の場合には、前記外輪２ｂの軸方向端部内周面に、傾斜面部３０と円筒面部３１とをそれぞれ形成している。このうちの傾斜面部３０は、外輪軌道５に近づくに従って内径寸法が大きくなる。これに対し、前記円筒面部３１は、軸方向に亙り内径寸法が一定である。そして、本例の場合には、このうちの円筒面部３１に、シールリング１０ａを構成する芯金１２の固定円筒部１４を締り嵌めにより内嵌固定している。又、前記外輪軌道５と前記傾斜面部３０とを、断面円弧形の凸曲面である角部３２により滑らかに連続させると共に、前記円筒面部３１と前記外輪２ｂの軸方向端面３３との間部分も、断面円弧形の面取り部３４により滑らかに連続させている。
【００３６】
又、前記円筒面部３１の内径寸法は、保持器７（図１参照）を構成する各ポケットに各玉４を組み込み保持した（サブアッセンブリ）状態で、前記円筒面部３１の内側に、これら各玉４を内径側に押し込みつつ（保持器７のポケット隙間の範囲で玉４を内径側に寄せて）、通過させられる大きさに規制している。又、前記角部３２の内径寸法は、前記外輪軌道５と内輪軌道６との間に各玉４を組み込んだ状態での、これら各玉４の外接円の直径よりも若干小さくしている。本例の場合には、前記円筒面部３１と前記面取り部３４とに同時に研磨加工を施しているが、前記傾斜面部３０も含めて同時に研磨加工を施しても良い。
【００３７】
以上の様な構成を有する本例の場合には、転がり軸受ユニット１ａの中心軸Ｏ（図１参照）を上下方向から水平方向へと配置した場合に、油溜用シールリップ２５の外周面と、前記傾斜面部３０と、前記芯金１２を構成する固定円輪部１５のうちでこれら両周面同士の間に存在する部分の内部空間８（図１参照）側の側面とにより画成された貯溜空間２９ａ内の基油を、前記傾斜面部３０を利用して前記外輪軌道５に効率良く誘導できる。
【００３８】
又、前記保持器７を構成する各ポケットに前記各玉４を組み込んで成る中間組立体を、前記外輪軌道５の内側に組み込む際に、これら各玉４の転動面が損傷する事を有効に防止できる。更に、前記外輪２ｂに前記中間組立体（保持器７及び各玉４）を組み込んだ状態で、これら中間組立体が、軸方向に抜け出る事も有効に防止できる。
【００３９】
更に、前記第１例の場合の様に、外輪２ａの軸方向端部内周面に大径段部２３（図１、２参照）を形成する場合に比べて、組み合わせシールリング９ｂの外径を小さくできる（小型化できる）為、シールトルクの低下を図れる。又、車両の旋回時に、ハブに対しモーメント荷重が加わる等して、前記各内輪３ｄ（３ｃ）の中心軸と前記外輪２ｂの中心軸とが互いに傾斜した場合にも、各シールリップ１６〜１８の締め代の変化を小さく抑えられるので、シール性能の向上も図れる。
その他の構成及び作用・効果に就いては、前記第１例の場合と同様である。
【００４０】
［実施の形態の第３例］
図４は、本発明の実施の形態の第３例を示している。本例の場合には、外輪２ｃの軸方向端部内周面に、前述した実施の形態の第２例の構造で設けていた傾斜面部３０に代えて、円筒面部３１よりも内径寸法が大きく、軸方向に亙り内径寸法が変化しない、大径円筒面部３５を形成している。又、内輪３ｅの肩部２６ａの外径側部分（段差面２７の外周寄り部分）に、軸方向に関して組み合わせシールリング９ｂ側（内部空間８側とは反対側で、図４の右側）に向けて突出した、断面略三角形状の環状突部３６を形成している。そして、この環状突部３６と油溜用シールリップ２５とを径方向に関して重畳させている。本例の場合には、この環状突部３６の内径側に前記油溜用シールリップ２５の先端部を配置している。
【００４１】
以上の様な構成を有する本例の場合、前記外輪２ｃの軸方向端部内周面に、何れの内径寸法も軸方向に亙り一定である前記大径円筒面部３５と前記円筒面部３１とを設けている為、前記第２例の場合に比べて、寸法管理が行い易くなる。又、前記内輪３ｅに前記環状突部３６を形成している為、転がり軸受ユニット１ａの中心軸Ｏ（図１参照）を上下方向へと配置して、増ちょう剤から分離した基油を貯溜空間２９ｂ内に移動させる際に、この基油が、前記肩部２６ａの外周面部分から段差面２７へと回り込みにくくできる。従って、本例によれば、この基油を前記貯溜空間２９ｂへと効率良く誘導できる。
その他の構成及び作用・効果に就いては、前記第１例及び第２例の場合と同様である。
【００４２】
［実施の形態の第４例］
図５は、本発明の実施の形態の第４例を示している。本例の場合には、内輪３ｆの肩部２６ｂの外径側部分には、前述した実施の形態の第３例の構造の場合の様な、環状突部３６（図４参照）は形成せずに、段差面２７ａの径方向中間部に軸方向に凹入した環状凹部３７を全周に亙り形成している。そして、この環状凹部３７内に、油溜用シールリップ２５の中間部乃至先端縁を、全周に亙り挿入している。特に、本例の場合には、この油溜用シールリップ２５の先端縁と前記環状凹部３７の軸方向側面との間に微小隙間（軸方向隙間）を形成すると共に、この油溜用シールリップ２５の両周面と前記環状凹部３７の両周面との間にそれぞれ微小隙間（径方向隙間）を形成する事で、当該部分に、断面コ字形のラビリンスシール２８ａを形成している。この様な構成を有する本例の場合には、このラビリンスシール２８ａの全長を長くできる分だけ、増ちょう剤から分離した基油が、前記油溜用シールリップ２５と前記内輪３ｆとの間部分を通過しにくくなる。又、車体に組み付けた使用状態で、外部に存在する水、粉塵等の各種異物が内部空間８（図１参照）に入り込む事を防止する面からもより有利になる。
その他の構成及び作用・効果に就いては、前記第１例及び第３例の場合と同様である。
【００４３】
［参考例の第１例］
図６は、本発明に関する参考例の第１例を示している。本参考例の場合には、ラジアルリップである内側シールリップ１８ａの形状を工夫する事で、この内側シールリップ１８ａに、油溜用シールリップとしての機能を併せ持たせている。別な言い方をすれば、油溜用シールリップとラジアルリップとの両方の機能を併せ持つシールリップ１８ａを設けている。この為に本参考例の場合には、前記内側シールリップ１８ａを、断面略く字形で、全体形状を円環状に構成している。より具体的には、この内側シールリップ１８ａを、互いに傾斜方向が異なる外径側傾斜部３８と内径側傾斜部３９との径方向端縁同士を、屈曲部４０により互いに連結する事により構成している。このうちの外径側傾斜部３８は、その基端縁（外径側端縁）を前記芯金１２の固定円輪部１５の内周寄り部分に全周に亙り添着しており、径方向内方に向かう程内部空間８（図１参照）側に近づく方向に傾斜している。一方、前記内径側傾斜部３９は、その先端縁（内径側端縁）をスリンガ１１を構成する回転円筒部１９の外周面に全周に亙り摺接させており、径方向内方に向かう程前記内部空間８から離れる方向に傾斜している。そして、前記外径側傾斜部３８の内径側端縁と前記内径側傾斜部３９の外径側端縁とを前記屈曲部４０で互いに連結して、この屈曲部４０を内輪３ｄに形成された段差面２７に全周に亙り摺接させている。
【００４４】
この様な構成を有する本参考例の場合には、前記外径側傾斜部３８と前記屈曲部４０とが、油溜用シールリップとして機能する。従って、この外径側傾斜部３８の基端縁から前記屈曲部４０までの軸方向距離（図６中のＬ１）が、油溜用シールリップの軸方向への突出量に相当する。又、本参考例の場合には、前記外径側傾斜部３８及び前記屈曲部４０の外周面と、外輪２ｃの軸方向端部内周面のうちの大径円筒面部３５と、前記固定円輪部１５のうちでこれら両周面同士の間に存在する部分の前記内部空間８側の側面とにより、略円環状の貯溜空間２９ｃを画成している。
【００４５】
以上の様な構成を有する本参考例の場合、前記内側シールリップ１８ａの先端縁を前記回転円筒部１９の外周面に全周に亙り当接（摺接）させている為、油溜用シールリップとして機能する前記外径側傾斜部３８及び前記屈曲部４０が、径方向内方に向けて弾性変形しにくくなる。この為、前記貯溜空間２９ｃ内に貯溜された液状の基油が、この貯溜空間２９ｃから漏れ出しにくくできる。
その他の構成及び作用・効果に就いては、前記実施の形態の第１例及び第３例の場合と同様である。
【００４６】
［参考例の第２例］
図７は、本発明に関する参考例の第２例を示している。本参考例の場合には、上述した参考例の第１例の場合と同様に、内側シールリップ１８ｂに、油溜用シールリップとしての機能を併せ持たせている。特に本参考例の場合には、この内側シールリップ１８ｂの全体形状を部分円すい筒状として、軸方向に関して内部空間８（図１参照）側に向けて突出させると共に、先端縁部内周面を内輪３ｅの肩部２６の外周面に全周に亙り当接（摺接）させている。この為に本参考例の場合には、この内輪３ｅの軸方向端部外周面に形成した小径段部２４ａの外径寸法を、前述した実施の形態の各例及び参考例の第１例の場合よりも大きくしている。
【００４７】
そして、前記内側シールリップ１８ｂの外周面と、この内側シールリップ１８ｂの外周面に対向する外輪２ａの軸方向端部内周面と、芯金１２を構成する固定円輪部１５のうちでこれら両周面同士の間に存在する部分の前記内部空間８側の側面とにより、略円環状の貯溜空間２９ｄを画成している。この様な構成を有する本参考例の場合には、この貯溜空間２９ｄ内に液状の基油を溜めた場合にも、前記内側シールリップ１８ｂが径方向内方に弾性変形する事を有効に防止できる為、前記貯溜空間２９ｄから基油が漏れ出す事を有効に防止できる。又、前記内側シールリップ１８ｂの外周面を利用して、前記貯溜空間２９ｄ内に溜まった基油を、内輪軌道６に効率良く誘導できる。又、この貯溜空間２９ｄの容積の拡大を図る事もできる（貯溜量の増大を図れる）。
その他の構成及び作用・効果に就いては、前記実施の形態の第１例及び参考例の第１例の場合と同様である。
【００４８】
［参考例の第３例］
図８は、本発明に関する参考例の第３例を示している。本参考例の場合には、前述した参考例の第２例の構造を更に工夫している。即ち、本参考例の場合には、内輪３ｆの軸方向端部外周面に小径段部２４（２４ａ）自体を形成せずに、内輪軌道６から軸方向に外れた部分の外径寸法を一定としている。そして、当該部分にスリンガ１１の回転円筒部１９を外嵌固定している。更に、油溜用シールリップとしての機能を併せ持った内側シールリップ１８ｃの先端縁部内周面を、前記内輪３ｆの軸方向端部外周面に直接全周に亙り当接（摺接）させている。この様な構成を有する本参考例の場合には、前記内輪３ｆの加工工数を低減する事ができて、加工コストの低減を図れる。又、貯溜空間２９ｅの容積を、前記内輪３ｆから肩部を省略した分だけ、拡大する事ができる（貯溜量を増大できる）。尚、前記内側シールリップ１８ｃは、組み合わせシールリング９ｂの組み付け時に反転し易い（捲れ易い）形状を有しているが、図示の様に、前記内側シールリップ１８ｃと前記スリンガ１１の回転円筒部１９の軸方向端縁（内部空間８側の端縁）とを近接させる事で、組み付け時に於ける前記内側シールリップ１８ｃの反転を防止できる。
その他の構成及び作用・効果に就いては、前記実施の形態の第１例及び参考例の第２例の場合と同様である。
【００４９】
［実施の形態の第５例］
図９は、本発明の実施の形態の第５例を示している。本例の場合には、増ちょう剤から分離した基油の貯溜量を増やすべく、芯金１２ａ及び外輪２ｄの形状を工夫している。即ち、本例の場合には、この芯金１２ａを構成する固定円筒部１４ａの軸方向寸法を、前述した実施の形態の各例及び参考例の各例の場合よりも短くしている。又、同じく固定円輪部１５ａを、断面略クランク形に折り曲げて、外径側に設けられた外径側円輪部４１を、内径側に設けられた内径側円輪部４２よりも、軸方向に関して内部空間８（図１参照）とは反対側にオフセットさせている。この為に、前記外径側円輪部４１と前記内径側円輪部４２との間部分に、径方向内方に向かうに従って軸方向に関して前記内部空間８側に向かう方向に傾斜した傾斜部４３を設けている。又、本例の場合には、前記外輪２ｄの軸方向端部内周面のうちで、前記固定円筒部１４ａを内嵌した部分から軸方向に外れた部分に、径方向外方に凹入した環状凹溝４４を全周に亙り形成している。この環状凹溝４４の内側面のうちで、軸方向に関して前記内部空間８側に位置する内側面は、内輪３ｄの段差面２７（油溜用シールリップ２５の先端縁）とほぼ同一平面上に位置させている。
【００５０】
この様な構成を有する本例の場合には、前記油溜用シールリップ２５の外周面と、前記環状凹溝４４の底面（内周面）と、前記固定円輪部１５ａのうちでこれら両周面同士の間部分に存在する部分（外径側円輪部４１及び傾斜部４３と内径側円輪部４２のうちの外径側半部）の前記内部空間８側の側面とにより、略円環状の貯溜空間２９ｆを画成している。従って、本例の場合には、この貯溜空間２９ｆに関して、前記環状凹溝４４を形成した事による容積の増大と、前記外径側円輪部４１を軸方向にオフセットした事による容積の増大を図れる。この結果、増ちょう剤から分離した基油の貯溜量を増大させる事ができる。
その他の構成及び作用・効果に就いては、前記実施の形態の第１例の場合と同様である。
【００５１】
［実施の形態の第６例］
図１０は、本発明の実施の形態の第６例を示している。本例の場合には、外輪２ｅの軸方向端部内周面に全周に亙り形成した環状凹溝４４ａを、外輪軌道５に連続する状態まで延長して、この環状凹溝４４ａの軸方向寸法（幅寸法）を、前述した実施の形態の第５例の場合よりも大きくしている。この様な構成を有する本例の場合には、転がり軸受ユニット１ａの中心軸Ｏ（図１参照）を上下方向から水平方向へと傾けた場合に、貯溜空間２９ｇ内に貯溜された液状の基油を、前記外輪軌道５に向けて効率良く送り込める。
その他の構成及び作用・効果に就いては、前記実施の形態の第１例及び第５例の場合と同様である。
【産業上の利用可能性】
【００５２】
本発明を実施する場合に、油溜用シールリップの形状は、図示したものに限定されず、液状の基油を貯溜すると言う機能を発揮できる限りに於いて各種構造を採用できる。又、グリースに関しても、ウレア系グリースに限定されず、基油が増ちょう剤から分離する可能性のある各種グリースを採用できる。更に、本発明は、所謂第１世代の転がり軸受ユニットに限らず、第２世代の転がり軸受ユニット、更には、ハブをハブ本体と内輪とから構成し、このハブ本体の軸方向中間部外周面に直接内輪軌道を形成した、所謂第３世代の転がり軸受ユニットにも適用できる。尚、第３世代の転がり軸受ユニットの場合には、ハブ（ハブ本体及び内輪）が、特許請求の範囲に記載した内輪相当部材に相当する。又、本発明のシールリング付転がり軸受装置は、複列であるか単列であるかは問わないし、内輪回転型であるか外輪回転型であるかも問わない。更に、本発明は、転動体として玉を使用した構造に限らず、ころ（ニードルも含む）を用いた構造にも適用できる。又、本発明は、シールリングとして、スリンガを省略した構造、更には、スリンガ及びエンコーダを省略した構造にも適用できる。
【符号の説明】
【００５３】
１、１ａ  転がり軸受ユニット
２、２ａ〜２ｅ  外輪
３ａ〜３ｆ  内輪
４    玉
５    外輪軌道
６    内輪軌道
７    保持器
８    内部空間
９、９ａ、９ｂ  組み合わせシールリング
１０、１０ａ    シールリング
１１    スリンガ
１２、１２ａ  芯金
１３、１３ａ  シール材
１４、１４ａ  固定円筒部
１５、１５ａ  固定円輪部
１６    外側シールリップ
１７    中間シールリップ
１８、１８ａ〜１８ｃ  内側シールリップ
１９    回転円筒部
２０    回転円輪部
２１    グリース
２２    エンコーダ
２３    大径段部
２４、２４ａ  小径段部
２５    油溜用シールリップ
２６、２６ａ、２６ｂ  肩部
２７、２７ａ  段差面
２８、２８ａ  ラビリンスシール
２９、２９ａ〜２９ｇ  貯溜空間
３０    傾斜面部
３１    円筒面部
３２    角部
３３    端面
３４    面取り部
３５    大径円筒面部
３６    環状突部
３７    環状凹部
３８    外径側傾斜部
３９    内径側傾斜部
４０    屈曲部
４１    外径側円輪部
４２    内径側円輪部
４３    傾斜部
４４、４４ａ  環状凹溝
【図１】
0005821437.tif 000002
【図２】
0005821437.tif 000003
【図３】
0005821437.tif 000004
【図４】
0005821437.tif 000005
【図５】
0005821437.tif 000006
【図６】
0005821437.tif 000007
【図７】
0005821437.tif 000008
【図８】
0005821437.tif 000009
【図９】
0005821437.tif 000010
【図１０】
0005821437.tif 000011
【図１１】
0005821437.tif 000012